(57)【要約】      （修正有）【課題】運転時の騒音を低減した電気掃除機を提供すること。【解決手段】掃除機本体４の側面に設けられた車輪１９と対面する位置に配した側面排気口２１ａと、掃除機本体４の側面と車輪１９の間に配置され、一端側が側面排気口２１ａと連通し、他端側の天面に開口部を有する略Ｃ形状の蓋体２０とを備え、略Ｃ形状の蓋体２０の略円弧状の内側壁が車輪軸受けの外周壁を内包し、かつ略Ｃ形状の蓋体２０の略円弧状の外側壁が車輪１９の外周側壁の内壁に内包される形状に形成されることで、車輪１９を掃除機本体４に装着した状態で、略Ｃ形状の蓋体２０と掃除機本体４の側面との間に側面排気口２１ａから開口部に連通する排気流路３５を構成できるようにし、運転時の排気が排気流路３５を通過することにより、運転時の騒音を低減するものである。【選択図】図２
2013226175.tif 000002
【特許請求の範囲】
【請求項１】
電動送風機を内蔵した掃除機本体と、
前記掃除機本体の両側部に設けた略円筒形の車輪軸受けと、
前記車輪軸受けと回転自在に嵌合する車輪軸を略中央部に形成した車輪と、
前記掃除機本体の側面に設けられ前記車輪と対面する位置に配した排気口と、
前記掃除機本体の側面と前記車輪の間に配置され、一端側が前記排気口と連通し、他端側の天面に開口部を有する略Ｃ形状の蓋体と、を備え、
前記略Ｃ形状の蓋体は、前記略Ｃ形状の蓋体の略円弧状の内側壁が前記車輪軸受けの外周壁を内包し、かつ前記略Ｃ形状の蓋体の略円弧状の外側壁が前記車輪の外周側壁の内壁に内包される形状に形成されることで、
前記車輪を前記車輪軸受けに装着した状態で、前記略Ｃ形状の蓋体と前記掃除機本体の側面との間に前記排気口から前記開口部に連通する排気流路を構成できるようにしたことを特徴とする電気掃除機。
【請求項２】
電動送風機を内蔵した掃除機本体と、
前記掃除機本体の両側部に設けた略円筒形の車輪軸受けと、
前記車輪軸受けと回転自在に嵌合する車輪軸を略中央部に形成した車輪と、
前記掃除機本体の側面に設けられ前記車輪と対面する位置に配した排気口と、
前記掃除機本体の側面と前記車輪の間に配置され、内部空間を２分する仕切り壁を有した略リング形状の蓋体と、を備え、
前記略リング形状の蓋体は、前記仕切り壁に隣接する一端側の空間が前記排気口と連通し、前記仕切り壁に隣接する他端側の天面に開口部を有し、かつ前記略リング形状の蓋体は、前記略リング形状の蓋体の略円弧状の内側壁が前記車輪軸受けの外周壁を内包し、かつ前記略リング形状の蓋体の略円弧状の外側壁が前記車輪の外周側壁の内壁に内包される形状に形成されることで、
前記車輪を前記車輪軸受けに装着した状態で、前記略リング形状の蓋体と前記掃除機本体の側面との間に前記排気口から前記開口部に連通する排気流路を構成できるようにしたことを特徴とする電気掃除機。
【請求項３】
前記蓋体の内壁に防音材もしくは遮音材を設けた請求項１または２に記載の電気掃除機。
【請求項４】
前記蓋体の内壁より突出する爪止めを有した係合部を設け、前記係合部の爪が前記排気口に係合することで、前記蓋体を前記掃除機本体の側面に保持するようにした請求項１〜３のいずれか１項に記載の電気掃除機。
【請求項５】
前記蓋体の開口部の総開口面積が、前記排気口から前記開口部に連通する排気流路を構成する通路の断面積と同一、もしくは前記通路の断面積より大きくした請求項１〜４のいずれか１項に記載の電気掃除機。
【発明の詳細な説明】
【技術分野】
【０００１】
本発明は騒音低下のための排気消音構成を有する電気掃除機に関するものである。
【背景技術】
【０００２】
近年の電気掃除機は、図１０に示すように、吸引風を発する電動送風機７と、この電動送風機７の上流側に集塵用フィルター５を搭載し、前記集塵用フィルター５には塵埃及び空気が流入されて、塵埃と空気は分離され、塵埃は前記集塵用フィルター５内に留まり、空気は前記集塵用フィルター５の後部に設置された電動送風機７に向かって流れ、前記電動送風機７は、駆動モータ８と駆動モータ８により回転するファン（図示せず）とファンを覆うファンケース９により構成され、ファンケース９には吸気口１０が、駆動モータ８には排気口１１が設けられ、さらに、ファンケース９の外周部に設けられたゴムなどの軟質材からなるサポート部材１２と駆動モータ８のハウジング部１３に設けられた防振ゴム１４を介して掃除機本体４及び防音ケース１５に弾性支持され、電動送風機７の外周を覆う防音ケース１５の左右の側壁には防音ケースの排気口１６ａ，１６ｂが設けられており、前記電動送風機７を通過した空気は、前記排気口１６ａ，１６ｂを通り、掃除機本体後端面に設けられた複数の孔部で形成された本体排気口１７と掃除機本体の車輪１９に対面する本体側壁に設けられた側面排気口２１ａ、２１ｂから機外に排出される構成としていた（例えば、特許文献１参照）。
【先行技術文献】
【特許文献】
【０００３】
【特許文献１】特開平５−４９５６１号公報
【発明の概要】
【発明が解決しようとする課題】
【０００４】
しかしながら、この様な従来の掃除機では、空気が集塵用フィルター５を通って電動送風機７に向かって流れ、電動送風機７の吸気口１０に流入し駆動モータ８を冷却して排気口１１から排気され、排気口１１から排気された空気は矢印２４で示すように、防音ケースの排気口１６ａ，１６ｂから、掃除機本体４の内壁と防音ケースの外壁によって形成される通路を通って本体排気口１７からと、矢印２５で示すように、防音ケースの排気口１６ａ，１６ｂから、掃除機本体４の内壁と防音ケースの外壁によって形成される通路を通って本体の車輪１９と対面する本体側壁の側面排気口２１ａ、２１ｂから吹き出し、吹き出た排気は車輪１９の内部を通って、車輪１９と本体側壁との車輪１９の全周囲の隙間から本体外に排気されるため、車輪１９内部においては、騒音を低下させるための排気流路を長くとることができなかった。
【０００５】
また、車輪１９の内面に吸音材３３を設けているが、側面排気口２１ａ、２１ｂから吹吹き出た排気は、吸音材３３の表面に衝突した後、吸音材３３の表層を流れ、ただちに車輪１９と本体側壁との隙間から本体外に排気されるため、吸音材３３としての吸音効果も十分発揮できる構成ではなかった。
【０００６】
本発明は上記のような問題点を解決するものであり、小型，吸引性能を保持しながら騒音の低減を実現することのできる掃除機を提供することを目的とするものである。
【課題を解決するための手段】
【０００７】
上記課題を解決するため、本発明の掃除機は、電動送風機を内蔵した掃除機本体と、
前記掃除機本体の両側部に設けた略円筒形の車輪軸受けと、
前記車輪軸受けと回転自在に嵌合する車輪軸を略中央部に形成した車輪と、
前記掃除機本体の側面に設けられ前記車輪と対面する位置に配した排気口と、
前記掃除機本体の側面と前記車輪の間に配置され、一端側が前記排気口と連通し、他端側の天面に開口部を有する略Ｃ形状の蓋体と、を備え、
前記略Ｃ形状の蓋体は、前記略Ｃ形状の蓋体の略円弧状の内側壁が前記車輪軸受けの外周壁を内包し、かつ前記略Ｃ形状の蓋体の略円弧状の外側壁が前記車輪の外周側壁の内壁に内包される形状に形成されることで、
前記車輪を前記車輪軸受けに装着した状態で、前記略Ｃ形状の蓋体と前記掃除機本体の側面との間に前記排気口から前記開口部に連通する排気流路を構成できるようにした。
【０００８】
上記構成により、前記排気口から排出された、騒音を伴った排気が前記蓋体の排気流路を流れ、前記蓋体の他端側の天面に開けた開口部から排出されることにより、排気の流路を長くすることが可能で、排気騒音を低減することができる。また、従来から掃除機本体の構成部品である車輪を用いて、その車輪の裏面の空間を利用して前記蓋体を取り付けているため、掃除機本体の大きさを拡大せずに排気の流路を長くすることが可能となり、掃除機本体を小型化しても排気流路を確保でき、排気流路の狭小化による吸引性能の低下も引き起こすことなく、騒音低減の効果を実現することができる。
【発明の効果】
【０００９】
本発明の電気掃除機は、運転時の電動送風機から発生する騒音や排気の風切り音を低減することができる。
【図面の簡単な説明】
【００１０】
【図１】本発明の実施の形態１における電気掃除機の全体斜視図
【図２】同、電気掃除機の車輪中央での上方断面図
【図３】同、電気掃除機を示す図２のＡ部における部分拡大図
【図４】同、電気掃除機の掃除機本体部品に略Ｃ形状の蓋体を取付け状態での斜視図
【図５】同、電気掃除機の掃除機本体部品へ略Ｃ形状の蓋体を取付けする前の展開図
【図６】同、電気掃除機における略Ｃ形状の蓋体の表面側からの斜視図
【図７】同、電気掃除機における略Ｃ形状の蓋体の裏面側からの斜視図
【図８】本発明の実施の形態２における電気掃除機の略リング形状の蓋体の表面側からの斜視図
【図９】同、電気掃除機における略リング形状の蓋体の裏面側からの斜視図
【図１０】従来の掃除機の電動送風機中央から後部排気口にかけての上方断面図
【発明を実施するための形態】
【００１１】
第１の発明は、電動送風機を内蔵した掃除機本体と、
前記掃除機本体の両側部に設けた略円筒形の車輪軸受けと、
前記車輪軸受けと回転自在に嵌合する車輪軸を略中央部に形成した車輪と、
前記掃除機本体の側面に設けられ前記車輪と対面する位置に配した排気口と、
前記掃除機本体の側面と前記車輪の間に配置され、一端側が前記排気口と連通し、他端側の天面に開口部を有する略Ｃ形状の蓋体と、を備え、
前記略Ｃ形状の蓋体は、前記略Ｃ形状の蓋体の略円弧状の内側壁が前記車輪軸受けの外周壁を内包し、かつ前記略Ｃ形状の蓋体の略円弧状の外側壁が前記車輪の外周側壁の内壁に内包される形状に形成されることで、前記車輪を前記車輪軸受けに装着した状態で、前記略Ｃ形状の蓋体と前記掃除機本体の側面との間に前記排気口から前記開口部に連通する排気流路を構成できるようにしたものである。これにより、前記排気口から排出された、騒音を伴った排気が前記蓋体の排気流路を流れ、前記蓋体の他端側の天面に開けた開口部から排出されることにより、排気の流路を長くすることが可能で、排気騒音が低減される。また、従来から掃除機本体の構成部品である車輪を用いて、その車輪の裏面の空間を利用
して前記蓋体を取り付けているため、掃除機本体の大きさを拡大せずかつ排気流路の狭小化による吸引性能の低下を引き起こさずに、排気流路を長くして騒音低減の効果を実現することができる。
【００１２】
第２の発明は、電動送風機を内蔵した掃除機本体と、
前記掃除機本体の両側部に設けた略円筒形の車輪軸受けと、
前記車輪軸受けと回転自在に嵌合する車輪軸を略中央部に形成した車輪と、
前記掃除機本体の側面に設けられ前記車輪と対面する位置に配した排気口と、
前記掃除機本体の側面と前記車輪の間に配置され、内部空間を２分する仕切り壁を有した略リング形状の蓋体と、を備え、
前記略リング形状の蓋体は、前記仕切り壁に隣接する一端側の空間が前記排気口と連通し、前記仕切り壁に隣接する他端側の天面に開口部を有し、かつ前記略リング形状の蓋体は、前記略リング形状の蓋体の略円弧状の内側壁が前記車輪軸受けの外周壁を内包し、かつ前記略リング形状の蓋体の略円弧状の外側壁が前記車輪の外周側壁の内壁に内包される形状に形成されることで、前記車輪を前記車輪軸受けに装着した状態で、前記略リング形状の蓋体と前記掃除機本体の側面との間に前記排気口から前記開口部に連通する排気流路を構成できるようにしたものである。これにより、前記排気口から排出された、騒音を伴った排気が前記蓋体の排気流路を流れ、前記蓋体の他端側の天面に開けた開口部から排出されることにより、排気の流路を長くすることが可能で、排気騒音が低減される。また、従来から掃除機本体の構成部品である車輪を用いて、その車輪の裏面の空間を利用して前記蓋体を取り付けているため、掃除機本体の大きさを拡大せずかつ排気流路の狭小化による吸引性能の低下を引き起こさずに、排気流路を長くして騒音低減の効果を実現することができる。
【００１３】
第３の発明は、特に第１または第２の発明の前記蓋体の内壁に防音材もしくは遮音材を設けたものである。これにより、前記蓋体内の排気流路を流れる騒音を伴った排気風の騒音を前記蓋体の内壁に貼り付けた防音材もしくは遮音材でも消音することが可能で、排気騒音がさらに低減される。
【００１４】
第４の発明は、特に第１〜３のいずれか１つの発明の電気掃除機において、前記蓋体の内壁より突出する爪止めを有した係合部を設け、前記係合部の爪が前記排気口に係合することで、前記蓋体の端部が掃除機本体の外壁側面に隙間なく空気をタイトするように保持するようにしたものである。このように蓋体を配置することで、蓋体自体が、騒音を遮音するケースとしても作用するものであり、通常はデッドスペースであった車輪内部の空間に蓋体を格納させて防音構成を図っており、この構成にともなって掃除機本体も大型化することなく、消音効果を発揮できるものである。
また、このような構成により、蓋体を簡単に取り付けることが可能であり、また、従来の掃除機においても、車輪と対面する掃除機本体側面の位置に排気口を備えていれば、後からでも蓋体を取り付けることも可能である。
【００１５】
第５の発明は、特に第１〜４のいずれか１つの発明の電気掃除機において、前記蓋体の開口部の総開口面積が、前記排気口から前記開口部に連通する排気流路を構成する通路の断面積と同一、もしくは前記通路の断面積より大きくしたものである。これにより、排気流路を通った排気が開口部での狭小化による通気圧損による吸引性能の低下を引き起こさずに、騒音低減の効果を実現することが可能である。
【００１６】
以下、本発明の実施の形態について、図面を参照しながら説明する。なお、この実施の形態によって、本発明が限定されるものではない。
【００１７】
（実施の形態１）
本発明の第１の実施の形態における電気掃除機について図１〜図７を用いて説明する。図１は本発明の実施の形態１における電気掃除機の全体斜視図、図２は同、電気掃除機の車輪中央での上方断面図、図３は図２のＡ部における部分拡大図、図４は同、電気掃除機の掃除機本体部品に略Ｃ形状の蓋体を取付けた状態図、図５は同、電気掃除機の掃除機本体へ略Ｃ形状の蓋体を取付けする前の展開図、図６は同、電気掃除機における略Ｃ形状の蓋体の表面側からの斜視図、図７は同、電気掃除機における略Ｃ形状の蓋体の裏面側からの斜視図である。
【００１８】
本発明の電気掃除機は、床ノズル１，延長管２，集塵用ホース３及び掃除機本体４により構成され、床ノズル１，延長管２，集塵用ホース３及び掃除機本体４はこの順で接続されている。掃除機本体４内には集塵用フィルター５が、集塵用ホース３への接続口と連通するように設置されている。掃除機本体４の後部には、集塵用フィルター５と、掃除機本体の仕切格子６とを介して電動送風機７が設置されている。
【００１９】
電動送風機７は、駆動モータ８と、駆動モータ８の回転軸に固定され回転駆動されるインペラファン（図示せず）と、吸気口１０を有しインペラファンを覆うファンケース９とにより構成され、駆動モータ８には排気口１１が設けられている。防音ケース１５の両側には防音ケース排気口１６ａ，１６ｂが設けられており、後部壁には本体排気口１７が設けられている。
【００２０】
電動送風機７は、前方外周部に設けられたゴムなどの軟質材からなるサポート部材１２と駆動モータ８のハウジング部１３に設けられた防振ゴム１４を介して掃除機本体４及び防音ケース１５に弾性支持されている。
掃除機本体の車輪１９と対面する本体側壁には側面排気口２１ａ、２１ｂが、後部壁には本体排気口１７が設けられている。
【００２１】
図２、３に示すように、電動送風機７を内蔵した掃除機本体４は、本体両側部に略円筒形の車輪軸受け３０と、前記車輪軸の外周と回転自在に嵌合する車輪軸３７を略中央部に形成した車輪１９があり、前記車輪１９は、図１、３に示した車輪カバー３１の軸が前記本体両側部の略円筒形の車輪軸内に爪で係号されることにより、軸方向が止められている。
【００２２】
さらに、前記掃除機本体４の側面に設けられ前記車輪１９と対面する位置に配した側面排気口２１ａ，２１ｂと、前記掃除機本体４の側面と前記車輪１９の間に配置され、一端側が前記側面排気口２１ａ，２１ｂと連通し、他端側の天面に図４，５，６，７に示した、複数の孔からなる開口部２９を有する略Ｃ形状の蓋体２０を備えている。
【００２３】
前記略Ｃ形状の蓋体２０は、図３，図５に示すように前記略Ｃ形状の蓋体２０の略円弧状の内側壁が前記車輪軸受け３０の外周壁を内包し、かつ前記略Ｃ形状の蓋体の略円弧状の外側壁が前記車輪の外周側壁の内壁に内包される形状に形成されている。
【００２４】
図２，４に示す排気風の流れを示す矢印２６は、本実施の形態における電動送風機７からの排気が側面排気口２１ａ，２１ｂを通過し、前記略Ｃ形状の蓋体２０の排気流路３５を通り、他端側の天面に設けた複数の孔からなる開口部２９より外部にいたる空気の流れを示している。
【００２５】
以上のように構成された電気掃除機について、以下その動作、作用について説明する。電源に接続され電動送風機７が駆動すると、床ノズル１から塵埃を含んだ空気が吸い込まれる。吸い込まれた空気は、延長管２，集塵用ホース３を介して掃除機本体４内の集塵用フィルター５に送り込まれる。ここで塵埃と空気は分離され、塵埃は集塵用フィルター５
内に留まり、空気は掃除機本体の仕切格子６に設けられた通気口１８を通して電動送風機７の吸気口１０に流入し駆動モータ８を冷却して排気口１１から排気される。
【００２６】
排気口１１から排気された空気は図２の矢印２４で示すように、防音ケース排気口１６ａ，１６ｂから、掃除機本体４の内壁と防音ケースの外壁によって形成される通路を通って本体排気口１７へと流れて排気される流路と、図２，４の矢印２６で示すように、防音ケース排気口１６ａ，１６ｂから、掃除機本体４の内壁と防音ケースの外壁によって形成される通路を通って側面排気口２１ａ，２１ｂから放出され、前記略Ｃ形状の蓋体２０の排気流路３５を通り、前記略Ｃ形状の蓋体２０の他端側の天面の複数の孔からなる開口部２９から機外に排気される流路に分かれて排気される。
【００２７】
この時、側面排気口２１ａ，２１ｂから放出された排気が、略Ｃ形状の蓋体２０の内側の排気流路３５を通って前記略Ｃ形状の蓋体２０の他端側の天面の開口部２９から機外に排気される際、略Ｃ形状の蓋体２０の内側の排気流路３５が長いため、この排気流路３５を通過することで騒音を消音することができる。
【００２８】
つまり、図４，５，６，７に示すように、前記略Ｃ形状の蓋体２０は、一端側が側面排気口２１ａ，２１ｂと連通し、他端側の天面に開口部２９を有する略Ｃ形状であり、略円弧状の内側壁が前記車輪軸受け３０の外周壁を内包し、かつ略Ｃ形状の蓋体２０の略円弧状の外側壁が車輪１９の外周側壁の内壁に内包される形状であるため、車輪１９内で排気流路３５が長く取れて、消音効果が増すように構成されている。
【００２９】
また、図４，６に示すように、略Ｃ形状の蓋体２０の天面に設けた複数の孔からなる開口部２９における複数の孔の総開口面積が、前記側面排気口２１ａならびに前記側面排気口２１ｂから前記開口部２９に連通する各々の排気流路３５を構成する通路の断面積と同等、もしくは前記通路の断面積より大きくすることにより、排気流路３５の狭小化ともなう通気圧損による吸引性能の低下を引き起こさずに実現することができるものである。
【００３０】
また、さらに図３，５に示すように、略Ｃ形状の蓋体２０の内壁には、防音材２７もしくは遮音材３４が設けており、騒音を伴った排気が略Ｃ形状の蓋体２０の排気流路３５を通る時に、側面排気口２１ａならびに側面排気口２１ｂからの排気が、防音材２７もしくは遮音材３４の表層だけでなく、内部も通過して略Ｃ形状の蓋体２０の天面に設けた開口部２９へと流出して行くため、防音材２７もしくは遮音材３４でより効果的に消音できるものである。
【００３１】
また、図４，図７に示すように、略Ｃ形状の蓋体２０の内側には、内壁より突出する爪止めを有した係合部２８が設けられており、係合部２８の爪が側面排気口２１ａ，２１ｂに係合することで、略Ｃ形状の蓋体２０の端部が掃除機本体４の外壁側面に隙間なく空気をタイトするように保持するようにしている。そして略Ｃ形状の蓋体２０をこのように配置することで、略Ｃ形状の蓋体２０自体が、騒音を遮音するケースとしても作用するものであり、このような遮音ケースの効果も備えた略Ｃ形状の蓋体２０を、通常はデッドスペースであった車輪１９内部の空間に格納させて防音構成を図っており、この構成にともなって掃除機本体４も大型化することなく、消音効果を発揮できるものである。
【００３２】
また、略Ｃ形状の蓋体２０の取り付けを上述のように構成したことにより、掃除機本体４の外壁側面に簡単に取り付けることが可能となり、従来の掃除機で、車輪に対面する側壁に排気口を設けた掃除機に対しても、この略Ｃ形状の蓋体２０後からでも取り付けることができ、排気騒音を低減させることができる。
【００３３】
（実施の形態２）
本発明の実施の形態２における電気掃除機について説明する。
図８は本発明の実施の形態２における電気掃除機の略リング形状の蓋体の表面側から見た斜視図、であり、図９は、同、略リング形状の蓋体の裏面側からの斜視図を示すものである。
以下、実施の形態１と同一部分については同一符号を付して説明を省略する。
【００３４】
図８，９に示すように、前記略リング形状の蓋体３２は、仕切り壁３６に隣接する一端側の空間が側面排気口２１ａ，２１ｂと連通し、仕切り壁３６に隣接する他端側の天面に開口部２９を有する形状であり、略リング形状の蓋体３２の場合も図４，５に示す略Ｃ形状の蓋体２０の場合と同様に、略円弧状の内側壁が車輪軸受け３０の外周壁を内包し、かつ略リング形状の蓋体３２の略円弧状の外側壁が車輪１９の外周側壁の内壁に内包される形状であるため、車輪１９内で排気流路３５が長く取れ、実施の形態１での略Ｃ形状の蓋体２０での消音効果を同様に有するものである。
【００３５】
以上のように本実施の形態１，２は、従来の掃除機では、車輪１９の全周囲の隙間から本体外に排気されるため、車輪１９内部においては、騒音を低下させるための排気流路を長くとることができず防音性能が低く、かつ車輪１９の内面に設けた吸音材３３の吸音効果も十分発揮できる構成ではなかった課題に対し、従来から掃除機本体４の構成部品である車輪１９を用いて、その車輪１９の裏面の空間を利用して略Ｃ形状の蓋体２０ならびに略リング形状の蓋体３２を取り付け、車輪１９内で排気流路３５が長く取れる構成を有することで、掃除機本体の大きさを拡大せずかつ排気流路３５の狭小化による吸引性能の低下を引き起こさずに、排気流路３５を長くして騒音低減の効果を実現することができるものである。
【００３６】
なお、車輪１９の取付け構成について、本実施の形態１，２では、本体両側部に略円筒形の車輪軸受け３０と、前記車輪軸受け３０の外周と回転自在に嵌合する車輪軸３７を略中央部に形成した車輪１９があり、前記車輪１９は、車輪カバー３１の軸が前記本体両側部の略円筒形の車輪軸受け３０内に爪で係合されることにより、軸方向が止められている構成を用いたが、本体の両側部に略円筒形の車輪軸受け３０を設け、前記車輪軸受け３０の内径と回転自在に嵌合する車輪軸を略中央部に形成する車輪１９を有する掃除機の場合も同様の効果を発揮できるものである。
【００３７】
また、集塵部については、本実施の形態１，２では、紙袋等の集塵用フィルター５を用いたが、サイクロン式の集塵装置を用いたものにおいても運転時の騒音を低減できるという効果が同様に得られるものである。
【産業上の利用可能性】
【００３８】
以上のように、本発明の掃除機は、車輪を車輪軸受けに装着した状態で、車輪の裏面の空間に略Ｃ形状或いは略リング形状の蓋体を取り付け、前記蓋体と掃除機本体の側面との間に掃除機本体の排気口から前記蓋体の開口部に連通する排気流路を構成したことにより、掃除機本体の小型と吸引性能を保持しながら騒音の低減を実現することのできる電気掃除機の用途に適用できる。
【符号の説明】
【００３９】
４  掃除機本体
７  電動送風機
１９  車輪
２０  略Ｃ形状の蓋体
２１ａ  側面排気口
２１ｂ  側面排気口
２７  防音材
２８  係合部
２９  開口部
３０  車輪軸受け
３２  略リング形状の蓋体
３４  遮音材
３５  排気流路
３６  仕切り壁
３７  車輪軸
【図３】
2013226175.tif 000003
【図４】
2013226175.tif 000004
【図５】
2013226175.tif 000005
【図６】
2013226175.tif 000006
【図７】
2013226175.tif 000007
【図８】
2013226175.tif 000008
【図９】
2013226175.tif 000009
【図１】
2013226175.tif 000010
【図２】
2013226175.tif 000011
【図１０】
2013226175.tif 000012